(57)【要約】【課題】バッグの肩部をテフロンテープにより被覆して、加熱手段によりテフロンテープを介しバッグ肩部を加熱して肩シールを施し、さらには肩シール部を冷却手段により冷却することにより、肩部シール性能、信頼性を高めたバッグの肩部シール方法及びその肩部シール装置を提供する。【解決手段】バッグの肩部の両面にテフロンテープを送り込んで被覆し、加熱手段により前記テフロンテープを介して前記肩部の両面を加熱した後、加熱手段及びテフロンテープを後退させて、バッグの肩部に肩シールを施すことを特徴とする。【選択図】　　図１
2004123179.tif 000002
【特許請求の範囲】
【請求項１】
バッグの肩部の両面にテフロンテープを送り込んで被覆し、加熱手段により前記テフロンテープを介して前記肩部の両面を加熱した後、加熱手段及びテフロンテープを後退させて、バッグの肩部に肩シールを施すことを特徴とするバッグの肩部シール方法。
【請求項２】
前記バッグの肩部に肩シールを施した後、冷却手段により肩シール部を冷却することを特徴とする請求項１記載のバッグの肩部シール方法。
【請求項３】
バッグの肩部の両面に進退されて被覆するテフロンテープと、バッグの肩部の両面に進退されて前記テフロンテープを介し肩部を加熱して肩シールを施す加熱手段とを具備したことを特徴とするバッグの肩部シール装置。
【請求項４】
前記肩シール部を冷却する冷却手段を具備したことを特徴とする請求項３記載のバッグの肩部シール装置。
【発明の詳細な説明】
【０００１】
【発明の属する技術分野】
本発明は、粉体や粒状体、液体等の流動物が充填されるバッグにおいて、これらのバッグの開口部に肩シールを施すバッグの肩部シール方法及び肩部シール装置に関する。
【０００２】
【従来の技術】
従来のバッグの肩部シール方法及びその肩部シール装置は、例えば、特許文献１（特表昭６４―５００４１７号公報）や特許文献２（特公平７―８８０６５号公報）などにより、バッグの開口部にポートを装着して、そのポート付き開口部の両面側又は一面側に加熱手段を直接的に接触させて加熱することで肩シールを施して、ポート付き肩シールを形成するバッグのポート付き肩部シール方法及びその肩部シール装置が提示されている。また、同様な加熱手段によりバッグの開口部の１部に未シール部を設けて口部を形成し、口部の両側に肩シールを施すバッグの肩部シール方法及びその肩部シール装置も提示されている。
【０００３】
【特許文献１】
特表昭６４―５００４１７号公報
【特許文献２】
特公平７―８８０６５号公報
【０００４】
【発明が解決しようとする課題】
従来、バッグの肩部シールは、肩部シールに設けたポートや未シール部の口部によりバッグ内に流動物（粉体や粒状体、液体）を注入したり抽出する必要があって、肩部シールには優れたシール特性、信頼性が要求されるが、前記のような従来のバッグの肩部シール方法やその肩部シール装置では、バッグ肩部に加熱手段を接触させて押圧し多数のバッグ肩部をシールを施すと、バッグ肩部のフィルム表面が溶けて加熱手段に付着するなどにより、肩部シールにバラツキが生じたり、当該部のフィルムが傷付けられる虞があるなど、肩部シール性、信頼性に欠けるという課題がある。
【０００５】
本発明は、かかる従来技術課題に鑑み開発されたものであり、バッグの肩部をテフロンテープ（テフロン：デュポン社商標）により被覆して、加熱手段によりテフロンテープを介しバッグ肩部を加熱して肩シールを施し、さらには肩シール部を冷却手段により冷却することにより、肩部シール性能、信頼性を高めたバッグの肩部シール方法及びその肩部シール装置を提供することを目的とする。
【０００６】
【課題を解決するための手段】
本発明はかかる課題を解決するものであり、請求項１記載の発明は、バッグの肩部の両面にテフロンテープを送り込んで被覆し、加熱手段により前記テフロンテープを介して前記肩部の両面を加熱した後、加熱手段及びテフロンテープを後退させて、バッグの肩部に肩シールを施すことを特徴とするバッグの肩部シール方法にある。
【０００７】
請求項１において、好ましくは請求項２のように、前記バッグの肩部に肩シールを施した後、冷却手段により肩シール部を冷却する。
【０００８】
請求項３記載の発明は、請求項１の発明を実施する装置の発明であり、バッグの肩部の両面に進退されて被覆するテフロンテープ（テフロン：デュポン社商標）と、バッグの肩部の両面に進退されて前記テフロンテープを介し肩部を加熱して肩シールを施す加熱手段とを具備したことを特徴とするバッグの肩部シール装置にある。
【０００９】
請求項３において、好ましくは請求項４のように、前記肩シール部を冷却する冷却手段を具備する。
【００１０】
かかる発明によれば、バッグの肩部の両面が、加熱手段によりテフロンテープを介して加熱され、該テフロンテープの介在によりバッグ肩部のフィルム表面の過度な加熱溶融が防止されて、フィルム内面まで均等な適温に加熱され、テフロンテープの優れた剥離性によりフィルム表面などが格別に損傷されずに、口部が精度良く形成されて付着される。
また、加熱手段への溶融物の付着が防止されて加熱シール性能が持続されるなど、優れたシール性能、信頼性が得られる。比較的に簡単な構造となり低コストで提供できる。
【００１１】
また、請求項２及び４のように構成すれば、バッグの肩部に施された肩シールが冷却されて、肩シールのバラツキやフィルムの損傷などが解消されて均等化されるなど、シール性能とともに口部の形成、付着性能、信頼性がさらに高められている。
【００１２】
【発明の実施の形態】
以下、本発明を図示の実施例により詳細に説明する。図１は本発明に係る一実施例を示すバッグの肩シール装置の側視図（Ａ）と、（Ａ）におけるＸ−Ｘ矢視図に相当する平面図（Ｂ）を示す。図２は肩シール作業行程のフロー図である。図３はバッグの肩シール装置による肩シール正面図（Ａ）及び開口付き肩シールの斜視図（Ｃ）を示す。
【００１３】
図１において、１００はバッグ１０の肩シール装置であり、図１に示すようにエアシリンダ１０１や１０２などからなる作動手段により前後及び上下動されるカセット１０３の前側に、複数対の支持棒１０４が相互間隔をおき突設され、各対の支持棒１０４、１０４の先端部間に両端部が適宜の手段により取り換え可能に装着されたテフロンテープ１０５が複数上下対に対設されている。
【００１４】
また、前記エアシリンダ１１１や１１２などからなる作動手段により前後及び上下動される加熱手段１２５及び冷却手段１２６がそれぞれ複数上下対に対設された構造になっている。前記の支持棒１０４は、適度の曲げ変形性を有しバッグ１０の幅サイズよりも適度に大きい間隔で対設されて、先端部間にテフロンテープ１０５の端部が適宜の手段により着脱可能に取り付けられている。
また前記テフロンテープ１０５は、適度の柔軟性と長さを有して支持棒１０４に張設され、加熱手段１２５の押圧により肩部９の形状に対応されて点線で示すように容易に変形され、バッグ１０の肩部９のシートに良くなじみ接面されるようになっている。
【００１５】
前記肩シール装置１００は、コントローラなどからなる制御手段（図示省略）により作動制御される。
即ち、図２において、搬送テーブル（図示省略）などにより複数のバッグ１０が供給されると（ステップ（１））、複数上下対の各テフロンテープ１０５が進退制御（前後及び上下動）されて、テフロンテープ１０５により各バッグ１０の肩部９の両面が被覆される（ステップ（２））。
また、複数上下対の加熱手段１２５が進退制御（前後及び上下動）されて、各バッグ１０の肩部９の両面がそれぞれテフロンテープ１０５を介し加熱されて、図３（Ｂ）のように、肩シール２０に形成される（ステップ（３））。さらに複数上下対の冷却手段１２６が進退制御（前後及び上下動）されて、各肩シール２０部が冷却される（ステップ（４））。その後、各テフロンテープ１０５が後退し、肩シール２０がなされたバッグ１０が次工程に移送される（ステップ（５））。
【００１６】
前記肩シール２０に際し、各テフロンテープ１０５は、適度の柔軟性と長さを有し支持棒１０４に張設されて、加熱手段１２５による押圧により容易に変形され、バッグ１０の肩部９のシートに良くなじみ接面されて被覆し、肩シールが容易に精度良く行われる。
【００１７】
図３に示されるように、肩シールステーションにおいては、対設されている肩シール装置１００により、各バッグ１０の肩部９がテフロンテープ１０５で被覆されて、加熱手段１２５によりテフロンテープ１０５を介し加熱されるため、該テフロンテープ１０５の介在により肩部９のフィルム表面の過度な加熱溶融が防止されてフィルム内面まで適温で均等に加熱され、テフロンテープ１０５の優れた剥離性によりフィルム表面側が格別に損傷されずに接着される。
また、かかる実施例によれば、加熱手段１２５側への溶融物の付着が防止されて加熱シール性能が持続されるなど、優れたシール性能、信頼性が得られる。さらには、比較的に簡単な構造となり低コストで提供できる。
さらに、バッグ１０の肩部９に肩シール２０を施した後、冷却手段１２６によりこの肩シール部を冷却することにより、肩シール２０のバラツキやフィルム損傷などがなくなり均等化される。
【００１８】
前記の実施例において、構成部品の寸法、材質、形状、その相対配置などについては、特に特定される記載がない限り請求項記載の構成の範囲内で改変可能である。
【００１９】
【発明の効果】
本発明は、以上のような構成からなるので、バッグの肩部の両面が、加熱手段によりテフロンテープを介して加熱され、該テフロンテープの介在によりバッグ肩部のフィルム表面の過度な加熱溶融が防止されて、フィルム内面まで均等な適温に加熱され、テフロンテープの優れた剥離性によりフィルム表面などが格別に損傷されずに、口部が精度良く形成されて付着される。
また、加熱手段への溶融物の付着が防止されて加熱シール性能が持続されるなど、優れたシール性能、信頼性が得られる。比較的に簡単な構造となり低コストで提供できる。
【００２０】
また、請求項２及び４のように構成すれば、バッグの肩部に施された肩シールが冷却されて、肩シールのバラツキやフィルムの損傷などが解消されて均等化されるなど、シール性能とともに口部の形成、付着性能、信頼性がさらに高められている。
【図面の簡単な説明】
【図１】本発明に係る一実施例を示すバッグの肩シール装置の側視図（Ａ）と、（Ａ）におけるＸ−Ｘ矢視図に相当する平面図（Ｂ）を示す。
【図２】肩シール作業行程のフロー図である。
【図３】バッグの肩シール装置による肩シール正面図（Ａ）及び開口付き肩シールの斜視図（Ｃ）を示す。
【符号の説明】
９　　　肩部（バッグ）
１０　　バッグ
２０　　肩シール
１００　肩シール装置
１０５　テフロンテープ
１２５　加熱手段
１２６　冷却手段
【図１】
2004123179.tif 000003
【図２】
2004123179.tif 000004
【図３】
2004123179.tif 000005